(57)【要約】【課題】光ピックアップ装置に於いて、光検出器が装着された搭載プレートをハウジングのフレームに接着材を介して接着すると、光ピックアップ装置の厚み方向に接着材が突出してしまう問題があった。【解決手段】本発明の光ピックアップ装置１０では、接着材の外部への漏出を抑止するために、ハウジング１１のフレーム１６を厚み方向に部分的に窪ませて凹状領域１４が設けられている。このことにより、光検出器１３が搭載された搭載プレート１２をフレーム１６に接着するために接着材を塗布しても、この接着材が凹状領域１４に収納されて外部に突出しない。【選択図】図１
2011119021.tif 000002
【特許請求の範囲】
【請求項１】
光記録媒体からの読み出し、または光記録媒体への書き込みの少なくとも一方を行う光ピックアップ装置において、
光学素子が組み込まれるハウジングと、前記光記録媒体で反射した光を受光して光学ヘッドと前記光記録媒体との相対的な位置を検出する光検出器と、第１主面に前記光検出器が固着されて前記第１主面に対向する第２主面が接着材を介して前記ハウジングに接着される搭載プレートとを具備し、
前記搭載プレートが接着される前記ハウジングのフレームに、厚み方向に部分的に窪ませた凹状領域を設け、前記凹状領域に前記接着材を収納させることを特徴とする光ピックアップ装置。
【請求項２】
前記搭載プレートの前記第２主面に、前記接着材の外部への漏出を抑制可能な漏出防止手段を設けることを特徴とする請求項１記載の光ピックアップ装置。
【請求項３】
前記漏出防止手段は、前記凹状領域に面する前記搭載プレートの第２主面の周辺部を厚み方向に部分的に突出させた突起部であることを特徴とする請求項２記載の光ピックアップ装置。
【請求項４】
前記突起部に前記接着材を接触させることを特徴とする請求項３記載の光ピックアップ装置。
【請求項５】
前記漏出防止手段は、前記凹状領域に面する、前記搭載プレートの第２主面を部分的に厚み方向に窪ませた凹部であることを特徴とする請求項２記載の光ピックアップ装置。
【請求項６】
前記搭載プレートが接着される領域の前記ハウジングに、複数の前記凹状領域を設け、各々の前記凹状領域に面する前記搭載プレートに前記漏出防止手段を設けたことを特徴とする請求項２記載の光ピックアップ装置。
【請求項７】
前記凹状領域の内壁は、前記ハウジングの内部に窪む形状の第１内壁と、前記第１内壁よりも更に前記ハウジングの内側に窪む第２内壁とを含むことを特徴とする請求項１記載の光ピックアップ装置。
【発明の詳細な説明】
【技術分野】
【０００１】
本発明は、光ディスク装置に収納される光ピックアップ装置に関し、特に、光検出器がハウジングに接着材を介して接着される光ピックアップ装置に関する。
【背景技術】
【０００２】
従来の光ピックアップ装置１００の構成を、図６の斜視図を参照して説明する（下記特許文献１を参照）。従来の光ピックアップ装置１００では、樹脂材料や金属材料から成るハウジングに、光ピックアップ装置を構成する各光学機器が収納されている。
【０００３】
光ピックアップ装置１００に装備される光学機器の中でも、レーザ光を受光する光検出器１０５の位置精度は非常に重要である。光検出器１０５の位置精度が不十分であると、対物レンズが装備されたレンズユニットの位置調整が正常に行われない虞がある。従って、光検出器１０５のハウジングへの固着は、発光器等の他の光学素子がハウジングに収納された後に行われる。
【０００４】
図６を参照して、光検出器１０５のハウジング１０１への取り付け構造を具体的に説明する。先ず、光ピックアップ装置１００のハウジング１０１の外面には、外側に突出する２つの突部１０２Ａ、１０２Ｂが設けられている。そして、光検出器１０５は、装着板１０３の一主面に貼着固定され、装着板１０３の左右両端には、切り込み部１０４Ａ、１０４Ｂが設けられている。この切り込み部１０４Ａ、１０４Ｂの位置は、前記した突部１０２Ａ、１０２Ｂの位置に対応している。係る構成により、装着板１０３をハウジング１０１の外面に装着することで、光検出器１０５がハウジングに対して位置固定される。
【０００５】
従来に於ける、装着板１０３のハウジング１０１への固着方法は次の通りである。先ず、装着板１０３の切り込み部１０４Ａ、１０４Ｂの各々の位置が、ハウジングの突部１０２Ａ、１０２Ｂの位置に整合するように、装着板１０３をハウジング１０１の外面に密着される。この状態で、光検出器１０５に受光されるビームの光軸方向およびこの光軸方向の直交方向に於ける、光検出器１０５の位置調整が行われる。
【０００６】
次に、上記位置調整が完了した後に、突部１０２Ａと切り込み部１０４Ａとの間隙、および突部１０２Ｂと切り込み部１０４Ｂとの間隙に接着材を注入する。更に、注入された接着材に紫外線を照射して硬化させることで、光検出器１０５が備えられた装着板１０３をハウジング１０１に固着する。
【０００７】
上記構成により、接着材に対して一様に紫外線を照射させることが可能となり、接着材に残留する応力が低減されて、光検出器１０５の位置精度に於ける不安定要素が軽減される。
【先行技術文献】
【特許文献】
【０００８】
【特許文献１】特開２００２−２５１７７６号公報
【発明の概要】
【発明が解決しようとする課題】
【０００９】
ところで、上記光ピックアップ装置が内蔵される携帯用電子機器に対しては、携帯性を向上させるために更なる小型化が要求されている。例えば、ノートパソコンの小型化は、縦方向、横方向または厚み方向のいずれかを短くすることにより達成することができるが、特に厚みを薄くすることに対するユーザーの要望は大きい。
【００１０】
上記のことから、ノートパソコン等の携帯用電子機器は薄型化が進行しており、これらに内蔵される光ディスク装置に用いられる光ピックアップ装置に関しても薄型化が要求される。近年に於いては、厚みが例えば３ｍｍ程度の薄型の光ピックアップ装置が登場してきている。
【００１１】
しかしながら、このような薄型の光ピックアップ装置に、上記従来技術を適用させた場合、装着板１０３をハウジング１０１に固着する際に用いる接着材がはみ出てしまう問題があった。特に、光ピックアップ装置１００の厚み方向に接着材が突出するようにはみ出ると、突出する接着材が光ディスク装置を構成する他の機器に接触してしまうので、光ピックアップ装置を光ディスク装置に装着できない問題が発生する恐れがある。
【００１２】
本発明はこのような問題を鑑みて成されたものであり、本発明の主な目的は、光検出器が装着された搭載プレートをハウジングに接着するために用いる接着材の外部への飛び出しを抑止できる光ピックアップ装置を提供することにある。
【課題を解決するための手段】
【００１３】
本発明は、光記録媒体からの読み出し、または光記録媒体への書き込みの少なくとも一方を行う光ピックアップ装置において、光学素子が組み込まれるハウジングと、前記光記録媒体で反射した光を受光して光学ヘッドと前記光記録媒体との相対的な位置を検出する光検出器と、第１主面に前記光検出器が固着されて前記第１主面に対向する第２主面が接着材を介して前記ハウジングに接着される搭載プレートとを具備し、前記搭載プレートが接着される前記ハウジングのフレームに、厚み方向に部分的に窪ませた凹状領域を設け、前記凹状領域に前記接着材を収納させることを特徴とする。
【発明の効果】
【００１４】
本発明の光ピックアップ装置によれば、光検出器が装着された搭載プレートをハウジングに接着するために用いられる接着材の、厚み方向への突出が抑止される。従って、光ディス装置の薄型化に伴い、光ピックアップ装置に許容されるスペースが極めて薄いものであっても、この薄いスペースに光ピックアップ装置を収納させることができる。
【００１５】
具体的には、本発明では、ハウジングのフレームを部分的に窪ませて凹状領域を設けている。従って、光検出器が装着された搭載プレートをハウジングに固着する際に、剰余の接着材が発生しても、この接着材はフレームの凹状領域に収納される。このことから、接着材の外部への突出が抑制される。
【００１６】
更に本発明では、ハウジングに面する側の搭載プレートの主面に、接着材の外部への漏出を防止可能な手段を設けているので、接着材の外部への流出を防止する効果が更に大きくなる。
【図面の簡単な説明】
【００１７】
【図１】本発明の光ピックアップ装置を示す図であり、（Ａ）は斜視図であり、（Ｂ）は斜視図である。
【図２】本発明の光ピックアップ装置を示す図であり、（Ａ）は斜視図であり、（Ｂ）は斜視図である。
【図３】本発明の光ピックアップ装置を示す図であり、（Ａ）は断面図であり、（Ｂ）は斜視図である。
【図４】本発明の光ピックアップ装置を示す図であり、（Ａ）は断面図であり、（Ｂ）は斜視図である。
【図５】本発明の光ピックアップ装置を示す図であり、（Ａ）は斜視図であり、（Ｂ）は模式図である。
【図６】従来の光ピックアップ装置を示す斜視図である。
【発明を実施するための形態】
【００１８】
以下に本発明に係るピックアップ装置の一実施の形態を図面を参照して説明する。
【００１９】
図１を参照して、本実施の形態の光ピックアップ装置１０の概略的構成を説明する。図１（Ａ）は光ピックアップ装置１０を全体的に示す斜視図であり、図１（Ｂ）は光ピックアップ装置１０に内蔵される光学素子を部分的に抜き出して図示した斜視図である。
【００２０】
図１（Ａ）および図１（Ｂ）を参照して、本発明は、光記録媒体からの読み出し、または光記録媒体への書き込みの少なくとも一方を行う光ピックアップ装置１０において、光学素子が組み込まれるハウジング１１と、光記録媒体で反射した光を受光して光学ヘッド２４と光記録媒体との相対的な位置を検出する光検出器１３と、第１主面に光検出器１３が固着されて第１主面に対向する第２主面が接着材を介してハウジング１１に接着される搭載プレート１２とを具備し、搭載プレート１２が接着されるハウジング１１のフレーム１６に、厚み方向に部分的に窪ませた凹状領域１４を設け、この凹状領域１４に接着材を収納させる構成となっている。
【００２１】
図１（Ａ）を参照して、光ピックアップ装置１０を説明するための各方向について説明すると、Ｘ方向は光ピックアップ装置１０の縦方向であり、Ｙ方向は光ピックアップ装置１０の横方向であり、Ｚ方向は光ピックアップ装置の厚み方向であり、これらの方向は光ピックアップ装置１０の構造を説明するための便宜上のものである。更に、Ｘ−Ｙ平面は光記録媒体（不図示）の記録面に対して平行な面であり、Ｚ方向は光記録媒体の記録面に対して垂直な方向である。
【００２２】
本実施の形態に於いて、光記憶媒体とは、例えば、ＣＤ−ＲＯＭ、ＤＶＤ−ＲＯＭなどの読出し専用の光ディスクや、ＣＤ−Ｒ、ＤＶＤ−Ｒ、ＤＶＤ＋Ｒなどの追記型の光ディスクや、ＣＤ−ＲＷ、ＤＶＤ−ＲＷ、ＤＶＤ＋ＲＷ、ＤＶＤ−ＲＡＭなどの書込み／消去や書換え可能なタイプの光ディスクなどといった各種光ディスクが挙げられる。
【００２３】
また、光学素子とは、ハウジング１１に収納されて、光記録媒体に記録されたデータの再生や、データの記録を行うための素子である。具体的には、図１（Ｂ）を参照すると、発光器２３、回折格子２５、ハーフミラー２８、光学ヘッド２４、ＦＭＤ２９、非点収差発生板２６、２７、光検出器１３等が光学素子として光ピックアップ装置１０に内蔵される。これらの光学素子の中でも、電気信号のやりとりが必要とされる素子（発光器２３、光学ヘッド２４、ＦＭＤ２９等）は、フレキシブルシートを経由して互いに電気的に接続される。
【００２４】
ハウジング１１は、光ピックアップを構成する各光学素子が収容される箱形のものや、箱に類似したものを意味する。本実施の形態では、光検出器１３等の各種光学素子は、所定の位置にて所定の角度で、ハウジング１１の内部に固定されている。また、ハウジング１１は、マグネシウム（Ｍｇ）を含有するダイカスト合金が用いられて形成されている。特にハウジング１１の最外部は、フレーム１６から構成されており、本実施の形態では、光検出器１３が装着された搭載プレート１２が、フレーム１６の内側に位置調整した後に、接着材を介して固着される。更に、本実施形態では、ハウジング１１は非常に薄く形成されており、その厚さ（Ｚ方向の長さ）は例えば３ｍｍ程度である。更にまた、ハウジング１１は光ピックアップ装置１０の最外周面を構成しており、光ピックアップ装置１０を構成する各種光学素子は、ハウジング１１の再外周面よりも内側に位置している。
【００２５】
発光器２３は、ＬＤ（laser diode：レーザーダイオード）とも称され、光記録媒体への情報の記録または情報の読み出しを行うために、レーザ光を照射させる機能を有する。更に、発光器２３は、不図示のＬＬＤ（LD driver：レーザードライバー）により制御され、ＬＬＤから電流が供給されることで、光検出器１３は所定の波長のレーザ光を所定の強度で射出する。
【００２６】
回折格子２５は、光の回折を利用して、発光器２３から射出されたレーザ光を１つのメインビームと、２つのサブビームとに分離させる機能を有する。更に、図示はされていないが、光ピックアップ装置１０には、発光器２３から出射されたレーザ光を集めるダイバージェントレンズが装備される。
【００２７】
ハーフミラー２８は、入射されるレーザ光を部分的に透過させ、残りの部分のレーザ光を反射する機能を有する。ハーフミラー２８は、光の透過性に優れるガラスを材料として形成される。
【００２８】
ＦＭＤ２９は、Front Monitor Diode（フロントモニターダイオード）の略称であり、発光器２３からハーフミラー２８を経由して出力されるレーザ光をモニタして、発光器２３の出力を所定の値に制御するためにフィードバックを掛ける素子である。
【００２９】
光学ヘッド２４は、対物レンズが組み込まれた組立て体であり、対物レンズは、Ｘ方向、Ｙ方向およびＺ方向に対して微小移動が可能なように、組み込まれている。光学ヘッド２４と光記録媒体との相対的な位置は、光検出器１３の出力に応じて調整される。
【００３０】
非点収差発生板２６、２７は、非点収差法のために設けられたものである。非点収差発生板２６、２７をレーザ光が通過することにより非点収差が発生され、このようなレーザ光が光検出器１３の上面に照射されることで、光学ヘッド２４のサーボ機構が動作される。
【００３１】
光検出器１３は、Photo Diode IC（フォトダイオードＩＣ）とも称され、ＰＤＩＣと略称される場合もある。上記した各光学素子を通過したレーザ光は、光検出器１３の上面に照射され、光検出器１３は光路の末端に位置している。
【００３２】
以上の概略的構成の光ピックアップ装置１０に於いて、レーザ光が通過する経路（光路）は次の通りである。図１（Ｂ）を参照して、先ず、発光器２３から所定の波長のレーザ光が出射され、回折格子２５にて回折された後に、ハーフミラー２８に対して照射されると、レーザ光の一部分はハーフミラー２８にて反射されて光学ヘッド２４側に入射する。一方ハーフミラー２８を通過した残りの部分のレーザ光は、ＦＭＤ２９に照射されて、ＦＭＤ２９の出力が発光器２３にフィードバックされることにより、発光器２３から出力されるレーザ光の強度が所定の値に調整される。
【００３３】
光学ヘッド２４に入射したレーザ光は、光学ヘッド２４に内蔵された不図示のミラーによりその進行方向がＺ方向に矯正される。即ち、不図示の光記録媒体の記録面に対して垂直な方向にレーザ光の進行方向が矯正され、レーザ光は、レンズ３０を通過して不図示の光記録媒体の記録面に照射される。
【００３４】
不図示の光記録媒体の記録面にて反射されたレーザ光は、再び光学ヘッド２４の内部を通過して、ハーフミラー２８、非点収差発生板２６、２７を通過した後に、光検出器１３に照射される。光検出器１３の出力に従って、光学ヘッド２４（レンズフォルダ）のフォーカスサーボまたはトラッキングサーボが行われる。フォーカスサーボが行われるときは、図１（Ｂ）に示すＺ方向に沿って、光学ヘッド２４は移動される。また、トラッキングサーボが行われるときは、同図のＹ方向に沿って光学ヘッド２４が移動される。
【００３５】
以上が、本実施形態の光ピックアップ装置１０の概略的構成およびその内部に於ける光路に関する説明である。
【００３６】
図２を参照して、次に、本実施の形態の特徴的な部分である光検出器１３の取り付け構造に関して説明する。図２（Ａ）および図２（Ｂ）は搭載プレート１２が固着された部分を示す斜視図であり、図２（Ａ）は図１（Ａ）に於いて下方から光ピックアップ装置１０を見た場合の斜視図であり、図２（Ｂ）は図１（Ａ）に於いて上方から光ピックアップ装置１０を見た場合の斜視図である。
【００３７】
図２（Ａ）および図２（Ｂ）を参照して、光検出器１３が下面に装着された搭載プレート１２の上面は、ハウジング１１のフレーム１６の下面（内面）に接着材（不図示）を介して貼着されている。搭載プレート１２は、例えばアルミニウム等の合金から成り、厚みが１ｍｍ程度の板状に成形して得られたものである。
【００３８】
搭載プレート１２が固着される部分のフレーム１６には、搭載プレート１２の接着に用いられる接着材を収納させるための凹状領域１４が設けられている。ここでは、光ピックアップ装置１０の上面側（奥行き側から）および下面側（手前側から）から、フレーム１６を部分的に厚み方向（Ｚ方向）に窪ませて凹状領域１４が形成されている。具体的には、光ピックアップ装置１０の上面側から２つの凹状領域１４が設けられ、下面側から２つの凹状領域１４が設けられており、合計で四個の凹状領域が設けられている。これらの凹状領域１４は、搭載プレート１２の接着に用いられる接着材の外部への漏出を抑制させる機能を有する。尚、Ｘ方向に沿って光ピックアップ装置１０を見た場合、各凹状領域１４はフレーム１６の内側に略半円状に窪んでいる。更に、凹状領域１４に面するフレーム１６の側面は、凹凸を設けた異形状の側面でも良い。
【００３９】
更に、本実施の形態では、上記した凹状領域１４に対応した箇所の搭載プレート１２に突起部１５を設けて、接着材の外部への流出を抑制している。突起部１５は、搭載プレート１２のＺ方向に於ける端部を厚み方向（Ｘ方向）に部分的に突出させた部位である。各突起部１５の位置はフレーム１６に設けられた凹状領域１４に対応しており、４つの凹状領域１４に対応して４つの突起部１５が形成されている。即ち、搭載プレート１２は、Ｚ方向から光ピックアップ装置１０を見た場合、凹状領域１４に重畳する位置に設けられる。このことにより、搭載プレート１２の接着に用いられる接着材の流出を防止する効果を更に大きくできる。
【００４０】
図３を参照して、次に、搭載プレート１２がハウジング１１のフレームに固着される構造を詳述する。図３（Ａ）は図２（Ａ）のＡ−Ａ’線に於ける断面図であり、図３（Ｂ）は搭載プレート１２の構造を示す斜視図である。
【００４１】
図３（Ａ）を参照して、ハウジング１１のフレーム１６を部分的に窪ませることで、凹状領域１４がフレーム１６の左右両側に形成されている。更に、凹状領域１４に面するフレーム１６の側面は、下部に位置する第１内壁１８と、この第１内壁１８よりも更に内側に窪む第２内壁１９から成る。このようにすることで、フレーム１６の機械的強度を所定の値以上に保ちつつ、凹状領域１４に収納可能な接着材１７の量を増加させて、接着材１７の外部への流出を抑止できる効果を大きくすることができる。
【００４２】
更に、図３（Ａ）を参照すると、突起部１５の内側側面または／および上面にも接着材１７が接触している。このことにより、搭載プレート１２と接着材１７との接触面積が増大するので、搭載プレート１２のフレーム１６への固着がより確実に行われる。
【００４３】
図３（Ｂ）を参照して、搭載プレート１２の両端部を厚み方向に突出させて、４つの突起部１５が形成されている。この突起部１５は、接着材１７の外部への漏出を抑制可能な漏出防止手段として機能している。即ち、図３（Ａ）を参照して、製造工程の途中段階に於いて、塗布された液状または半固形状の接着材１７が突起部１５により堰き止められることで、接着材１７の外部への漏出が抑制されている。
【００４４】
上記したように搭載プレート１２のフレーム１６への接着には接着材１７が利用されるが、この接着材１７としては、紫外線が照射されることにより固化する性質を有する所謂紫外線硬化型接着材を採用することが好適である。紫外線硬化型接着材を接着材１７として採用することで、紫外線を外部から照射することで、塗布された液状の接着材１７を素早く固化させることが可能となり、生産性を向上できると共にフレーム１６と搭載プレート１２との相対的な位置精度を向上させることができる。ここで、紫外線硬化型接着材としては、エポキシ系のものとアクリル系のものがある。
【００４５】
更に、本実施の形態に於いて、接着材１７として採用される紫外線硬化型接着材としては、エポキシ系のものが好適である。エポキシ系の紫外線硬化型接着材は、低収縮性で高耐熱性であり、更に耐薬品性、耐湿性に優れる。従って、１μｍ以下の位置精度が要求される光検出器１３が装備される搭載プレート１２の固着に関しては、このような優位性を有するエポキシ系の紫外線硬化型接着材を接着材として用いることが好ましい。
【００４６】
例えば、アクリル系の接着材を接着材１７として用いると、単に搭載プレート１２をフレーム１６に固着することは可能ではある。しかしながら、アクリル系の樹脂は一般的に、エポキシ系の樹脂と比較すると、加熱により軟化して変形し易い。従って、アクリル系の樹脂を接着材１７として用いると、搭載プレート１２に固着された光検出器１３の位置精度に悪影響が生じる恐れがあるので、接着材１７としてはエポキシ系のものが好適である。
【００４７】
図４を参照して、次に、上記した漏出防止手段の他の形態を説明する。図４（Ａ）は図２（Ａ）のＡ−Ａ’線に於ける断面図であり、図３（Ｂ）は搭載プレート１２の構造を示す斜視図である。
【００４８】
図４（Ａ）および図４（Ｂ）を参照して、凹状領域１４の下方に対応する領域の搭載プレート１２の上面を部分的に厚み方向に下方に窪ませて、凹部２０が形成されている。凹部２０を設けることにより、製造工程の途中段階に於いて液状または半固形状である接着材１７が凹部２０に収納され、接着材１７の外部への流出が抑制される。更に、凹部２０を設けることにより、搭載プレート１２の上面が平坦である場合と比較すると、搭載プレート１２の上面と接着材１７とが接触する面積が増大するので、接着材１７を介したフレーム１６と搭載プレート１２との固着強度が向上される。
【００４９】
図５を参照して次に、搭載プレート１２をハウジング１１のフレーム１６に固着する方法を説明する。図５（Ａ）は搭載プレート１２がフレーム１６に装着された状態を示す斜視図であり、図５（Ｂ）は搭載プレート１２の位置調整の概要を示す図である。
【００５０】
光ピックアップ装置１０の組み立ては、光ピックアップ装置１０を構成する各光学素子をハウジング１１に収納させて固定されることで達成される。その中でも、光検出器１３のハウジング１１への固着は、その他の光学素子をハウジング１１に収納した後に、最後に行われる。従って、光検出器１３が装着された搭載プレート１２の位置に一定以上（例えば１μｍ以上）の誤差が生じると、その誤差は光ピックアップ装置１０の品質に重大な影響を与える。このことから、光検出器１３のハウジング１１への固定は、実際に光ピックアップ装置１０を稼働させ、光検出器１３からの出力をモニタリングしつつ行っている。
【００５１】
図５（Ｂ）を参照して、光検出器１３が装着された搭載プレート１２の位置を調整する方法を説明する。先ず、光ピックアップ装置１０と光記憶媒体３２との相対的な位置を調整する。両者の相対的な位置関係は、実際の使用状況下におけるものと同様である。次に、モータ２２を稼働して光記憶媒体３２を所定の速度で回転させつつ、発光器２３からレーザ光を出射する。発光器２３から出射されたレーザ光は、回折格子２５、ハーフミラー２８およびレンズ３０を経由して、光記憶媒体３２の情報記録面に到達して反射される。更に、光記憶媒体３２にて反射されたレーザ光は、ハーフミラー２８を透過して、光検出器１３に到達する。光検出器１３からの出力は、外部に位置するモニタ手段によりモニタリングされており、レーザ光が光検出器１３の上面に於いて所定の箇所にて所定の大きさに照射されるように、光検出器１３の位置が調整される。
【００５２】
本実施の形態では、光検出器１３は搭載プレート１２の上面に固定された状態で用意され、搭載プレート１２の両側が治具３１によって挟み込まれており、この治具３１の位置を移動させることによって、光検出器１３の位置が調整される。即ち、光検出器１３の出力が所定のものとなるように、治具３１を用いて搭載プレート１２の位置を調整する。この位置の調整は、レーザ光が照射される方向（紙面ではＸ方向）およびレーザ光に対して垂直な面の方向（紙面ではＹ−Ｚ方向）に対して行われる。
【００５３】
次に、上記調整が終了した後に、搭載プレート１２とフレーム１６との間に接着材を塗布する。ここでは、液状または半固形状の接着材が使用される。上記したように、フレーム１６を部分的に窪ませて凹状領域１４が設けられており、更に、搭載プレート１２には突起部１５が設けられている。従って、塗布された接着材の外部への漏出は抑止されている。更にまた、この作業は、図５（Ａ）に示すようにハウジング１１を立てた状態で行われ、塗布された接着材に対して重力がＺ方向（ハウジング１１の厚み方向）に作用しないので、接着材のＺ方向への漏出が抑制される。
【００５４】
次に、塗布された接着材に紫外線を照射する。この接着材は、紫外線を照射することにより直ちに硬化する紫外線硬化型接着材であるので、数秒間の紫外線の照射により、接着材は固化される。更に、この接着材は、低収縮性で高耐熱性であるエポキシ系のものであるので、搭載プレート１２を高精度にハウジング１１のフレーム１６に対して固着できる。接着材が硬化されるまで、治具３１は連続的に所定の位置で搭載プレート１２を保持する。
【００５５】
上記工程が終了した後に、治具３１による搭載プレート１２の保持を解除し、光ピックアップ装置１０が完成される。
【００５６】
上記した光ピックアップ装置１０を備える光ディスク装置は、例えば、ノート型またはデスクトップ型のコンピュータ、ＣＤプレーヤ、ＤＶＤプレーヤ等の音響機器等に装備可能である。
【符号の説明】
【００５７】
１０                    光ピックアップ装置
１１                    ハウジング
１２                    搭載プレート
１３                    光検出器
１４                    凹状領域
１５                    突起部
１６                    フレーム
１７                    接着材
１８                    第１内壁
１９                    第２内壁
２０                    凹部
２１                    レーザ光
２２                    モータ
２３                    発光器
２４                    光学ヘッド
２５                    回折格子
２６                    非点収差発生板
２７                    非点収差発生板
２８                    ハーフミラー
２９                    ＦＭＤ
３０                    レンズ
３１                    治具
３２                    光記憶媒体
【図１】
2011119021.tif 000003
【図２】
2011119021.tif 000004
【図３】
2011119021.tif 000005
【図４】
2011119021.tif 000006
【図５】
2011119021.tif 000007
【図６】
2011119021.tif 000008